(57)【要約】【課題】剥離が生じ難く、首元からフェイスラインにかけてのたるみのリフトアップと、首元のケアを効率よく行なうことができるシートマスクを提供する。【解決手段】シートマスク１０は、フェイスラインを除いた顔面を覆う顔部２０と、顎を覆う顎部３０と、これに接続されて首元を覆う首部４０とから構成されており、美容液が浸み込んでいる。シートマスク１０の装着時には、顔部２０を顔に密着させ、顎部３０を引っ張って顎部３０の切込部３２を耳に掛ける。この顎部３０の引っ張りによって、顎の下側がリフトアップし、首の上側が伸ばされた状態になる。この状態で、シートマスク１０の首部４０を引っ張って、首部４０の切込部４２を耳に掛ける。これにより、首の上側が伸ばされた状態で、首部４０に浸み込んでいる美容液が首に浸透する。【選択図】図１
2014226281.tif 000002
【特許請求の範囲】
【請求項１】
スキンケア用液体を浸み込ませたシートマスクであって、
顎を覆う顎部と、この顎部に接続されて首元を覆う首部とを有し、
前記顎部と前記首部のそれぞれには、耳に引っ掛けるための耳掛け部が設けられており、
前記顎部の耳掛け部を耳に引っ掛けた際に、首の皮膚が上方向に引っ張られるように構成したことを特徴とするシートマスク。
【請求項２】
少なくとも口よりも上方の顔面を覆い、前記顎部に接続される顔部を更に備えたことを特徴とする請求項１に記載のシートマスク。
【請求項３】
少なくとも顎部は、前記スキンケア用液体を浸み込ませた液体保持層と、この液体保持層よりも伸張性及び平滑性が高い被覆層とを備えたシート材料によって構成されていることを特徴とする請求項１又は２に記載のシートマスク。
【請求項４】
前記液体保持層の表裏には、前記被覆層が設けられていることを特徴とする請求項３に記載のシートマスク。
【請求項５】
前記被覆層は、レーヨン・ポリエステル合成繊維で構成されており、
前記液体保持層は、パルプ材を含む層であることを特徴とする請求項３又は４に記載のシートマスク。
【請求項６】
前記顎部及び前記首部の少なくとも１つが、前記顎部の耳掛け部と、前記首部の耳掛け部とを重ねた場合に、前記顎部と前記首部の一部が重なる形状をしていることを特徴とする請求項１〜５のいずれか１項に記載のシートマスク。
【発明の詳細な説明】
【技術分野】
【０００１】
本発明は、化粧水や美容液等のスキンケア用液体を浸み込ませたシート状の美容用のシートマスクに関する。
【背景技術】
【０００２】
従来、顔に潤いや張りを与えるため、化粧水や美容液等を浸み込ませたシートマスクが知られている。
更に、近年は、肌から脱落しないこと、及び、頬やフェイスラインの引き上げを目的とした美容のためのシートマスクも検討されている（例えば、特許文献１）。
【０００３】
特許文献１に記載のシートマスクは、口の周り及び頬を覆う第１の引張体と、第１の引張体の下部に設けられて下顎を覆う第２の引張体とを備えている。第１の引張体及び第２の引張体には、耳掛け部が設けられており、第１の引張体と第２の引張体との間には、両側端から中心に向かう切込部が設けられている。そして、第１の引張体及び第２の引張体を、それぞれ耳に向かって引っ張る。これにより、口角、頬及びフェイスラインの引き上げ効果を図っている。
【先行技術文献】
【特許文献】
【０００４】
【特許文献１】特開２０１０−２５９６２１号公報
【発明の概要】
【発明が解決しようとする課題】
【０００５】
近年は、上記したフェイスラインの引き上げ効果等に加えて首元に対するケアのニーズがある。
特に、首元のしわは、加齢の影響が現れやすく顔のしわのように化粧によって隠すことが簡単でないため、スキンケア用のシート等によってケアする要望がある。
【０００６】
首元のケアを、スキンケア用のシート等によって行う場合、首元がよく動く部位であるため、シートが剥離しやすいという課題がある。
更に、仮にシートの剥離が生じないように十分に密着性を高めることができたとしても、首元にしわが生じている状態であっては、しわの間に効率よくスキンケア用液体を浸透させることが困難であった。
【課題を解決するための手段】
【０００７】
上記の目的を達成するために、このシートマスクは、スキンケア用液体を浸み込ませたシートマスクであって、顎を覆う顎部と、この顎部に接続されて首元を覆う首部とを有し、前記顎部と前記首部のそれぞれには、耳に引っ掛けるための耳掛け部が設けられており、前記顎部の耳掛け部を耳に引っ掛けた際に、首の皮膚が上方向に引っ張られるように構成したことを特徴とする。
【０００８】
この構成によれば、顎部を耳に引っ掛けることにより、フェイスラインのたるみを上方向に引っ張り上げた状態を維持することができる。また、この引っ張り上げに伴い、首の皮膚が上方に引っ張られ首元のしわが伸びた状態で維持される。更に、この状態で首部を耳に引っ掛けることにより、首元のしわが伸びた状態で、シートマスクの首部が首元に密着することになるため、シートマスクの剥離が生じ難く、かつ、首元のしわの間に効率よくスキンケア用液体を浸透させることができる。
【０００９】
上記シートマスクについて、少なくとも口よりも上方の顔面を覆い、前記顎部に接続される顔部を更に備えたことが好ましい。この構成によれば、首のスキンケアだけでなく、顔についてもケアすることができる。
【００１０】
上記シートマスクについて、少なくとも顎部は、前記スキンケア用液体を浸み込ませた液体保持層と、この液体保持層よりも伸張性及び平滑性が高い被覆層とを備えたシート材料によって構成されていることが好ましい。この構成によれば、伸び易く滑らかな被覆層を設けたので、顎部を容易に引き上げることができるとともに、よい肌触り感を得ることができる。
【００１１】
上記シートマスクについて、液体保持層の表裏には、前記被覆層が設けられていることが好ましい。この構成によれば、表面及び裏面から、液体保持層が被覆層によって挟み込まれている。従って、顎部を引き伸ばす際には、表裏の被覆層が液体保持層を両面から引き伸ばすため、液体保持層がより引き伸ばされて、液体保持層のスキンケア用液体を満遍なく肌に浸透させることができる。更に、両表面が被覆層であるため、表裏のどちらであっても、肌に密着させることができる。
【００１２】
上記シートマスクについて、前記被覆層は、レーヨン・ポリエステル合成繊維で構成されており、前記液体保持層は、パルプ材を含む層であることが好ましい。この構成によれば、パルプ材を含む層によってスキンケア用液体を浸み込ませることができるとともに、レーヨン・ポリエステル合成繊維によって、液体保持層よりも伸張性及び平滑性が高い層を形成することができる。
【００１３】
上記シートマスクについて、前記顎部及び前記首部の少なくとも１つが、前記顎部の耳掛け部と、前記首部の耳掛け部とを重ねた場合に、前記顎部と前記首部の一部が重なる形状をしていることが好ましい。この構成によれば、顎部における密着を、首部により補強することができる。
【発明の効果】
【００１４】
本発明によれば、剥離が生じ難く、首元からフェイスラインにかけてのたるみのリフトアップと、首元のケアを効率よく行なうことができる。
【図面の簡単な説明】
【００１５】
【図１】実施形態のシートマスクの正面図。
【図２】シートマスクの装着を説明する説明図であり、（ａ）は、顔部を装着した状態、（ｂ）は顔部及び顎部を装着した状態、（ｃ）は顔部、顎部及び首部を装着した状態を示す。
【発明を実施するための形態】
【００１６】
以下、図１及び図２を用いて、本発明のシートマスクを具体化した一実施形態について説明する。
図１に示すように、シートマスク１０は、薄い平面体の１枚のシート材料から構成されている。このシート材料は、液体保持層の両表面を被覆層によって挟んだ３層構造で構成されている。液体保持層は、例えば、パルプ材で構成されており、美容液を浸み込ませている。この美容液は、美容成分が濃縮して配合されたスキンケア用液体である。美容成分としては、例えば、ビタミンＣ等の美白成分やセラミド等の保湿成分がある。被覆層は、液体保持層よりも伸張性及び平滑性が高い材料で構成されている。本実施形態では、この被覆層は、レーヨンとポリエステルとの合成繊維で構成されている。このレーヨンとポリエステルとの合成繊維は、肌触りにも優れているため、シートマスク１０の装着感がよい。
【００１７】
このシートマスク１０は、全体としてダルマ形状であって、中心線Ｃ１に対して左右対称の形状をしている。シートマスク１０は、顔部２０、顎部３０及び首部４０を有している。
【００１８】
顔部２０は、顎から耳にかけた範囲（フェイスライン）を除いた顔面を覆う程度の大きさであり、ほぼ半円形状をしている。顎部３０は、顎及びフェイスラインを覆う大きさであり、ほぼ小判形状をしている。本実施形態では、顎部３０の横幅Ｌ２は、顔部２０の横幅Ｌ１よりも広く構成する。更に、首部４０は、喉を含む首元を覆う程度の大きさであり、顎部３０よりも細長い小判形状をしている。首部４０の横幅Ｌ３は、顎部３０の横幅Ｌ２より狭く、顔部２０の横幅Ｌ１より広く構成される。
【００１９】
シートマスク１０の顔部２０と顎部３０との境界においては、下方に突出した円弧形状の切込部１２が左右に設けられている。切込部１２間に設けられた領域を介して、顔部２０と顎部３０とは、シートマスク１０の中央部において接続されている。更に、各切込部１２の外側端部は、シートマスク１０の外縁部から１ミリ程度の内側に位置している。シートマスク１０の外縁部と切込部１２の外側端部との領域によって、顔部２０の外縁部と顎部３０の外縁部とを接続する接続部１３を構成している。
【００２０】
シートマスク１０の顎部３０と首部４０との境界においては、中心線Ｃ１とほぼ直交する軸方向に延びる略直線状の切込部１４が左右に設けられている。切込部１４間に設けられた領域を介して、顎部３０と首部４０とは、シートマスク１０の中央部において接続されている。更に、各切込部１４の外側端部は、シートマスク１０の外縁部から１ミリ程度の内側に位置している。シートマスク１０の外縁部と切込部１２の外側端部との領域によって、顎部３０の外縁部と首部４０の外縁部とを接続する接続部１５を構成している。
【００２１】
顔部２０には、目、鼻、口、額の脇に対応する位置に、切込部２１、切込部２２、切込部２３及び切込部２４が設けられている。切込部２１及び切込部２４は２つずつ形成されている。各切込部２１は、目を露出させるための切り込みであって、中心線Ｃ１から左右同じ距離に配置され、下が開口したＣ形状をしている。切込部２２は、鼻表面にシートマスク１０を載せるための切り込みであって、中心線Ｃ１を中心としたＵ字形状をしている。切込部２３は、口を露出させるための切り込みであって、中心線Ｃ１を中心とした下に突出した円弧形状をしている。この切込部２３は、切込部１２の中央側の端部よりも上方に形成されている。切込部２４は、額の湾曲にフィッテイングさせるための切り込みであって、切込部２１よりも上方に配置されている。各切込部２４は、シートマスク１０の縁部から、シートマスク１０の中央に向かうように直線状に形成されている。
【００２２】
顎部３０には、両縁部の近傍には、外形の円弧の一部に沿う形状の切込部３２が形成されている。この切込部３２は、耳掛け部として機能する。更に、顎部３０は、その中央部から切込部３２までの長さは、顎から耳までの一般的な長さよりも短く構成されており、切込部３２を耳に掛けた場合に、顎部３０に接した首の皮膚が上方向に引っ張られるように構成されている。
首部４０には、両端部の近傍には、切込部４２が形成されている。この切込部４２は、首部４０の中央において、中心線Ｃ１とほぼ直交する軸方向に延びる略直線状で横長に形成されている。この切込部４２は、耳掛け部として機能する。また、この切込部４２は、顎部３０の切込部３２とほぼ同じ長さで形成されている。更に、首部４０は、その中央部から切込部４２までの長さは、首元から耳までの一般的な長さよりも短く構成されており、切込部４２を耳に掛けた場合に、首部４０に接した首の皮膚が上方向に引っ張られるように構成されている。
【００２３】
上述のように構成されたシートマスク１０は、例えば、シート材料に対して型抜きすることにより形成される。この場合、各切込部１２，１４，２１，２２，２３，２４，３２，４２の位置に切り込みも同時に形成される。
【００２４】
次に、以上のように構成されたシートマスク１０の作用を説明する。
未使用のシートマスク１０は、折り畳まれて収納袋に密閉状態で収納されている。使用者は、収納袋からシートマスク１０を取り出して広げる。この場合、シートマスク１０の接続部１３，１５を切り離す。次に、使用者は、顔部２０の目の切込部２１を折り込む。これにより、シートマスク１０には、目を露出する孔が形成されるとともに、この孔の下方で、シート材料が二枚重なった状態になる。
【００２５】
そして、図２（ａ）に示すように、使用者は、シートマスク１０の顔部２０を自分の顔に密着させる。この場合、目の位置に、切込部２１によって形成された孔を合わせ、鼻の位置に切込部２２を合わせる。更に、口の位置に切込部２３を合わせるようにして配置する。この状態では、使用者の顎（フェイスライン）は露出した状態になる。
【００２６】
次に、図２（ｂ）に示すように、使用者は、シートマスク１０の顎部３０を引っ張って切込部３２を耳に引っ掛ける。これにより、露出していた顎は顎部３０によって覆われるとともに、フェイスラインはリフトアップされた状態が維持されたまま固定されて覆われることになる。この際に、首元のしわは伸びた状態で固定される。
【００２７】
そして、図２（ｃ）に示すように、使用者は、シートマスク１０の首部４０を引っ張って、首部４０の切込部４２を耳に引っ掛ける。これにより、使用者の首の前面や側面は、首部４０によって覆われて、首の前面や側面のたるみを上方向に引っ張り上げる。この際、首元のしわは伸びた状態で首部４０に覆われることになる。また、この場合、首部４０は顎部３０の下側と重なった状態になる。
【００２８】
以上のようにして、シートマスク１０を装着した状態で、所定時間（１５分〜２０分）放置する。この場合、フェイスローラ（美顔器）を、シートマスク１０上で使用することにより、シートマスク１０に浸み込んでいた美容液を染み出させることもできる。
【００２９】
このため、上記実施形態では、以下の効果を得ることができる。
（１）本実施形態においては、シートマスク１０は、顎を覆う顎部３０と、これに接続されて首元を覆う首部４０とから構成されており、美容液が浸み込んでいる。シートマスク１０の装着時には、顎部３０を、顎を覆った後、フェイスラインに沿って引っ張って、顎部３０の切込部３２を耳に掛ける。このため、フェイスラインのたるみを上方向に引っ張り上げた状態（リフトアップされた状態）を維持することができる。また、この引っ張り上げ（リフトアップ）に伴って、首の皮膚が上方に引っ張られて首元のしわが伸びた状態で維持される。更に、この状態で、シートマスク１０の首部４０を引っ張って、首部４０の切込部４２を耳に掛ける。このため、首元のたるみを上方向に引っ張り上げた状態を維持することができる。この場合、首元のしわが伸びた状態で、シートマスク１０の首部４０が首元に密着することになるため、シートマスク１０の剥離が生じ難く、かつ、しわの間に効率よくスキンケア用液体を浸透させることができる。
【００３０】
（２）本実施形態においては、シートマスク１０は、接続部１５を切り離して、顎部３０の切込部３２の中心と首部４０の切込部４２の中心を重ねた場合には、顎部３０と首部４０とが一部重なる形状となっている。これにより、シートマスク１０の顎部３０の密着を、首部４０により補強することができる。
【００３１】
（３）本実施形態においては、シートマスク１０は、フェイスラインを除いた顔面を覆う顔部２０が、顎部３０に接続されて形成されている。これにより、首に対するスキンケアだけでなく、顔についてのスキンケアも併せて行なうことができる。更に、顎部３０の切込部３２を耳に掛けることにより、顎部３０の一部が顔部２０の一部と重なって顔部２０の下方を押さえるので、シートマスク１０の顔部２０を肌に密着させることができる。
【００３２】
（４）本実施形態においては、シートマスク１０は、美容液を浸み込ませた液体保持層と、液体保持層よりも伸張性及び平滑性が高い被覆層とを有している。これにより、伸び易くて滑らかな被覆層を設けたので、シートマスク１０の顎部３０を容易に引き上げることができるとともに、よい肌触り感を得ることができる。
【００３３】
（５）本実施形態では、シートマスク１０は、液体保持層を、被覆層によって挟んだ３層構造のシート材料で構成されている。これにより、顎部を引き伸ばす際には、表裏の被覆層が液体保持層を両面から引き伸ばすため、液体保持層がより引き伸ばされて、液体保持層のスキンケア用液体を満遍なく肌に浸透させることができる。更に、両表面が被覆層であるため、表裏のどちらであっても、肌に密着させて、よい肌触り感を得ることができる。更に、シートマスク１０の外表面が被覆層となるので、美容器のローラを滑らかに転がすことができ、シートマスク１０に浸み込ませた美容液を染み出させることができる。
【００３４】
（６）本実施形態では、シートマスク１０は、１枚のシート材料から構成されている。そして、シートマスク１０は、シート材料に対して全体を型抜きした際に、各切込部１２，１４，２１，２２，２３，２４，３２，４２の位置に切り込みも同時に形成される。従って、１枚のシート材料からシートマスク１０を効率よく製造することができる。
【００３５】
（７）本実施形態では、シートマスク１０には、顎部３０と首部４０とが中央部と、接続部１５とで接続するように、顎部３０と首部４０との間に切込部１４が形成されている。接続部１５は、数ミリ程度の大きさである。このため、顎部３０と首部４０とが離れることなく、取り扱いが容易である。更に、接続部１５を切り離して容易に使用することができる。
【００３６】
（変更例）
また、この実施形態は、次のように変更してもよい。
・  上記実施形態においては、シートマスク１０は、顎部３０及び首部４０に、耳掛け部となる切込部３２，４２をそれぞれ設けた。これに加えて、顔を覆う顔部２０にも、耳掛け部を設けてもよい。また、上記実施形態のシートマスク１０は、首部４０の切込部４２を耳に掛けたときにも皮膚をリフトアップする構成としたが、本発明のシートマスクは、顎部の耳掛け部を耳に掛けたときに首の皮膚を引っ張り上げる構成を少なくとも備えていればよい。
【００３７】
・  上記実施形態においては、シートマスク１０は、液体保持層を、被覆層によって挟んだ３層構造のシート材料で構成した。これに限らず、液体保持層の片面にのみ、液体保持層よりも伸張性及び平滑性が高い被覆層を設けたシートマスク１０としてもよい。また、液体保持層は、パルプを含む層に限定されず、スキンケア用液体を浸み込ませて染み出させることができる層であればよい。更に、被覆層は、レーヨン・ポリエステル合成繊維に限定されず、液体保持層よりも伸張性及び平滑性が高い材料であればよい。
【００３８】
・  上記実施形態においては、シートマスク１０には、美容液を浸み込ませた。シートマスク１０に浸み込ませるスキンケア用液体は、美容液に限定されず、例えば、化粧水等の保湿剤でもよい。
【００３９】
・  上記実施形態においては、シートマスク１０は、全体としてダルマ形状としたが、形状は、これに限定されず、顎部３０や首部４０がもっと角張った形状等であってもよいし、顎部３０がより細くて首部４０がより太い形状であってもよい。また、顔部２０と顎部３０との境界となる切込部１２や、顎部３０と首部４０との境界となる切込部１４の形状や、顎部３０の切込部３２や首部４０の切込部４２の形状も、上記実施形態の形状に限定されるものではない。
【符号の説明】
【００４０】
Ｃ１…中心線、Ｌ１，Ｌ２，Ｌ３…横幅、１０…シートマスク、１２，１４，２１，２２，２３，２４，３２，４２…切込部、１３，１５…接続部、２０…顔部、３０…顎部、４０…首部。
【図１】
2014226281.tif 000003
【図２】
2014226281.tif 000004